(57)【要約】【課題】      補強領域内の中詰材の拘束性を改善し、工期と工費を大幅に改善すること。【解決手段】      補強領域を囲繞可能な長さの補強シート３０と、前記補強シート３０上に設置した擁壁マット１０と、前記の補強シート３０上に撒き出し、補強シート３０で巻き込んで緊張して転圧した中詰材２０とにより拘束土単体５０を形成する。  複数の拘束土単体５０を多段的に積み上げるか、或いは複数の拘束土単体５０を平面的に設置して拘束土構造物を得る。【選択図】      図１
2005163271.tif 000002
【特許請求の範囲】
【請求項１】
複数の拘束土単体を多段的に積み上げた拘束土構造物であって、
前記拘束土単体が、補強領域を囲繞可能な長さの補強シートと、
前記補強シート上に設置した擁壁マットと、
前記の補強シート上に撒き出し、補強シートで巻き込んで緊張して転圧した中詰材とにより構成することをしたことを特徴とする、
拘束土構造物。
【請求項２】
複数の拘束土単体を平面的に設置した拘束土構造物であって、
前記拘束土単体が、補強領域を囲繞可能な長さの補強シートと、
前記補強シート上に設置した擁壁マットと、
前記の補強シート上に撒き出し、補強シートで巻き込んで緊張して転圧した中詰材とにより構成することをしたことを特徴とする、
拘束土構造物。
【請求項３】
請求項１又は請求項２において、補強シートの法面側のみに擁壁マットを設置したことを特徴とする、拘束土構造物。
【請求項４】
請求項１又は請求項２において、補強シートの法面側と背面側に所定の距離を隔てて複数の擁壁マットを設置したことを特徴とする、拘束土構造物。
【請求項５】
請求項１乃至請求項５の何れかにおいて、擁壁マットが収容体に骨材又は土砂を封入した重量構造体であることを特徴とする、拘束土構造物。
【請求項６】
複数の拘束土単体を多段的に積み上げる拘束土構造物の施工方法であって、
補強領域を超える長さの補強シートを敷設する工程と、
前記補強シート上に擁壁マットを載置する工程と、
前記補強シート上に補強領域の範囲に亘って中詰材を撒き出して転圧をする工程と、
中詰材の背面部を包み込むように、前記補強シートを中詰材の上面に巻き込んで端部を固定する工程を経て拘束土単体を形成し、
前記拘束土単体を多段的に積層して構築することを特徴とする、
拘束土構造物の施工方法。
【請求項７】
複数の拘束土単体を平面的に設置する拘束土構造物の施工方法であって、
補強領域を超える長さの補強シートを敷設する工程と、
前記補強シート上に擁壁マットを載置する工程と、
前記補強シート上に補強領域の範囲に亘って中詰材を撒き出して転圧をする工程と、
中詰材の背面部を包み込むように、前記補強シートを中詰材の上面に巻き込んで端部を固定する工程を経て拘束土単体を形成することを特徴とする、
拘束土構造物の施工方法。
【請求項８】
請求項６又は請求項７において、補強シートの外方または内方に成形用の型枠を配置して中詰材の転圧を行うことを特徴とする、拘束土構造物の施工方法。
【請求項９】
請求項６又は請求項７において、転圧を行った後に、前記補強シートを緊張して中詰材の上面に巻き込んで端部を固定することを特徴とする、拘束土構造物の施工方法。
【請求項１０】
請求項６乃至請求項９の何れかにおいて、前記補強シートで包み込んだ中詰材を再度転圧することで中詰材の背面部を側方へ強制的に変形させて補強シートを再緊張することを特徴とする、拘束土構造物の施工方法。
【発明の詳細な説明】
【技術分野】
【０００１】
本発明は土砂等の中詰材をシート状物で包み込んで形成した拘束土構造物およびその施工方法に関する。
【背景技術】
【０００２】
土砂を所定の高さに撒き出して転圧する盛土工と、格子状や網状の補強シートを盛土層の上面に水平に敷設する補強シートの敷設工とを繰り返し行い、盛土層の間に補強シートを介在させて盛土構造物を構築することは公知である。
この種の盛土構造物にあっては、盛土層の間に介在させる補強シートの一端を、各盛土層の一方（前面）に積み上げたコンクリート製または網製の各壁面材の裏面に接続することで、擁壁マットに作用する土圧を補強シートの摩擦抵抗を利用して支持し、また盛土構造物内の滑りを補強シートにより抑制している。なお、盛土構造物の背面側は裏込土砂を充填して空隙処理を行っている。
また支持地盤が軟弱な場合は、コンクリート製の基礎床版を構築した後に、この基礎床版上に盛土構造物を構築することも知られている。
【発明の開示】
【発明が解決しようとする課題】
【０００３】
従来の盛土構造物には次のような問題点がある。
＜１＞各盛土層の上下面は補強シートでサンイドイッチ状に挟み込まれるが、盛土層の背面部（後部）は開放されたままである。
そのため、補強領域における盛土を十分に締め固めることができない。
殊に、盛土層に大きな鉛直荷重や地震時の水平力が加わると、盛土層の背面部（後部）から土砂が側方移動して盛土構造物の不等沈下を誘発する。
＜２＞地形が急峻で、盛土構造物の背面側スペースが足りない現場では、地山を切り込む必要があり、掘削量が増加して工期と工費の負担が増す。
＜３＞コンクリート製の基礎床版を構築する場合、軟弱地盤を掘り下げてからコンクリートを打設することから、施工に長時間を要するうえにコストが嵩む問題がある。
【０００４】
本発明は以上の点に鑑みてなされたもので、その目的とするところは補強領域内の中詰材の拘束性を改善することにある。
本発明は工期と工費を大幅に改善することにある。
本発明はコンクリー製の基礎床版の代替や補強盛土、或いは護岸構造物に適用できるようにすることにある。
本発明は上記した何れかひとつの拘束土構造物およびその施工方法を提供することを目的とする。
【課題を解決するための手段】
【０００５】
本発明は、複数の拘束土単体を多段的に積み上げた拘束土構造物であって、前記拘束土単体が、補強領域を囲繞可能な長さの補強シートと、前記補強シート上に設置した擁壁マットと、前記の補強シート上に撒き出し、補強シートで巻き込んで緊張して転圧した中詰材とにより構成することをしたことを特徴とするものである。
さらに本発明は複数の拘束土単体を平面的に設置した拘束土構造物であって、前記拘束土単体が、補強領域を囲繞可能な長さの補強シートと、前記補強シート上に設置した擁壁マットと、前記の補強シート上に撒き出し、補強シートで巻き込んで緊張して転圧した中詰材とにより構成することをしたことを特徴とするものである。
本発明は前記した何れかの拘束土構造物であって、補強シートの法面側のみに擁壁マットを設置したことを特徴とするものである。
本発明は前記した何れかの拘束土構造物であって、補強シートの法面側と背面側に所定の距離を隔てて複数の擁壁マットを設置したことを特徴とするものである。
本発明は前記した何れかの拘束土構造物であって、擁壁マットが収容体に骨材又は土砂を封入した重量構造体であることを特徴とするものである。
【０００６】
また本発明は、複数の拘束土単体を多段的に積み上げる拘束土構造物の施工方法であって、補強領域を超える長さの補強シートを敷設する工程と、前記補強シート上に擁壁マットを載置する工程と、前記補強シート上に補強領域の範囲に亘って中詰材を撒き出して転圧をする工程と、中詰材の背面部を包み込むように、前記補強シートを中詰材の上面に巻き込んで端部を固定する工程を経て拘束土単体を形成し、前記拘束土単体を多段的に積層して構築することを特徴とするものである。
さらに本発明は、複数の拘束土単体を平面的に設置する拘束土構造物の施工方法であって、補強領域を超える長さの補強シートを敷設する工程と、前記補強シート上に擁壁マットを載置する工程と、前記補強シート上に補強領域の範囲に亘って中詰材を撒き出して転圧をする工程と、中詰材の背面部を包み込むように、前記補強シートを中詰材の上面に巻き込んで端部を固定する工程を経て拘束土単体を形成することを特徴とするものである。
本発明は前記した何れかの拘束土構造物の施工方法であって、補強シートの外方または内方に成形用の型枠を配置して中詰材の転圧を行うことを特徴とするものである。
本発明は前記した何れかの拘束土構造物の施工方法であって、転圧を行った後に、前記補強シートを緊張して中詰材の上面に巻き込んで端部を固定することを特徴とするものである。
本発明は前記した何れかの拘束土構造物の施工方法であって、前記補強シートで包み込んだ中詰材を再度転圧することで中詰材の背面部を側方へ強制的に変形させて補強シートを再緊張することを特徴とするものである。
【発明の効果】
【０００７】
本発明はつぎのいずれかひとつの効果を奏する。
＜１＞拘束土構造物を構成する複数の圧拘束土単体が、補強シートを介した上載荷重を利用して中詰材を増強できるので、背面土圧や地震などの外力に対して安定性の高い拘束土構造物を得ることができる。
＜２＞補強シートにより擁壁マットと共に中詰材を包み込んだ範囲が補強領域となるので、拘束土構造物の断面幅を過剰に広く設計したり、地山を切り込んだりする必要がない。
＜３＞補強シートを強制的に緊張することで、補強シートの弛みをなくし、中詰材の拘束効果が高まる。
＜４＞転圧の際、仮設の型枠を使用することで中詰材の背面部の孕み出しを阻止して確実に締め固めをすることができる。
＜５＞補強シートで包み込んだ中詰材を再度転圧することで、中詰材の背面部を側方へ強制的に変形させて補強シートを緊張することができる。
そのため、中詰材の拘束効果がさらに高まり、拘束土構造物の安定性が格段に向上する。
＜６＞本発明は補強盛土としてだけでなく、コンクリー製の基礎床版の代替や護岸構造物に適用することができて汎用性に富む。
コンクリー製の基礎床版の代替として使用した場合は、軟弱地盤を掘削する手間をなくして直接構築して施工性と経済性を大幅に改善できる。
【発明を実施するための最良の形態】
【０００８】
以下図面を参照しながら本発明の一実施の形態について説明する。
＜１＞拘束土構造物の概要
図１は完成した拘束土構造物のモデル図を示す。
拘束土構造物は法面側に多段的に積み上げた擁壁マット１０と、補強シート３０で擁壁マット１０を含めて中詰材２０を袋状に包み込み、補強シート３０を緊張した後、中詰材２０を転圧して構築した複数の拘束土単体５０の積層体により構成する。
以降に主要な使用資材について説明する。
【０００９】
［擁壁マット］
擁壁マット１０は、拘束土構造物の擁壁面を構成する重量式の柱状部材である。
擁壁マット１０は例えば図２に示す構造体を採用可能である。
図２の（ａ）に示す形態は、樹脂製ネット又は繊維製ネットを箱状に形成した函体１１内に砕石等の骨材１２を詰め込んで封入した可撓性を有する蛇篭である場合を示し、同図の（ｂ）は金網等の金属製ネット箱状に形成した収容体１１内に砕石等の骨材１２を投入した蛇篭である場合を示し、同図の（ｃ）は樹脂製又は繊維製シートを筒状又は箱状に形成した可撓性を有する収容体１１内に土砂１３を詰め込んで封入した細長（その全長が断面長の数倍の長さを有する）のマット構造体である場合を示す。擁壁マット１０に何れの形態のものを採用するかは、施工現場の状況や施工高さ等を考慮して適宜選択する。
【００１０】
これらの擁壁マット１０は工場で製造したものを現場に搬入してもよいが、現場で製作すると搬送が容易となり、また現場の骨材１２や土砂１３を利用すれば製作コストの低減が図れる。
【００１１】
尚、擁壁マット１０は図示した形態に限定されず、収容体１１が一定以上伸張せず（弾性変形量が少ない）、かつ骨材１２や土砂１３の流出を阻止できる素材であれば公知の各種形状の構造体を適用することができる。
【００１２】
［中詰材］
中詰材２０は拘束土構造物の主体を成すもので、擁壁マット１０と共に補強シート３０で包み込んで外部から拘束して補強するものである。
中詰材２０は締め固めが可能な性質であればよく、一般土砂、現地発生土、産廃土砂等、各種骨材、コンクリートガラ等を単種で、または複数種の混合体を使用することが可能である。また土砂については砂質土、粘性土の別を問わず採用が可能である。
【００１３】
［補強シート］
補強シート３０は単に水平に敷設する部材ではなく、中詰材３０の背面部を巻き込むためのシートで、その全長は中詰材３０の背面部を含む補強領域を包囲可能な長さに設定する。
補強シート３０の素材としては、引張強度が大きい公知の樹脂ネット（ジオテキスタイル、ジオグリッド等）や、ヤシ製ネット等の自然素材のネットや、織布の何れかを単種で、または任意の複数種を積層させて使用することができる。
【００１４】
＜２＞施工方法
上記した資材を使用した拘束土構造物の施工方法について説明する。
【００１５】
［準備工］
図３に示すように、支持地盤に所定の長さを有する一段目の補強シート３０ａを直接敷設し、その一部にピンを打設して固定する。
補強シート３０ａ上の左方には、該シートの交差方向に向けて擁壁マット１０ａを載置する。擁壁マット１０ａは重力式であるため、その自重で補強シート３０ａとの間を固定可能であり、ピン等で両材を連結する必要はない。
擁壁マット１０ａの左方には補強シート３０ａが延びている。また擁壁マット１０ａの左方に延びる補強シート３０の途中は軽く巻くり上げ、その外側に型枠４０を設置する。
型枠４０は内側に湾曲した成形面４１を有すると共に、成形面４１の外側に支持脚４２を設けて形成した仮設型枠で、中詰材２０の側方変形を拘束しながら成形面４１の形状に合わせて成形するために機能する。
成形面４１は図示するような円弧面に限定されず、種々の形状を採用できる。
【００１６】
［中詰材の撒き出し・一次転圧工］
図４に示すように、補強シート３０ａの右方を型枠４０の外方に払い除けた状態で、擁壁マット１０ａと型枠４０の間の全領域に中詰材２０ａを撒き出し、その後、公知の締固機を用いて締め固める（一次転圧）
中詰材２０ａの層厚は擁壁マット１０ａの高さまでとする。
一次転圧に伴う中詰材２０ａの側方変形に関し、中詰材２０ａの前方（法面側）は擁壁マット１０ａにより支持され、また中詰材２０ａの後方（背面側）は型枠４０により支持されるため、一段目の中詰材２０ａの前後端を含め全体を均等にかつ確実に締め固めることができる。
また中詰材２０ａの後方（背面側）を転圧する際、型枠４０の成形面４１と対向して、補強シート３０ａの内側に成形面４１と対応する形状の型枠（図示せず）を設置して転圧してもよい。内側に型枠を設置する場合、内部の型枠は撤去せずに残存させることなる。
【００１７】
［補強シートの巻き込み工］
続いて図５に示すように中詰材２０ａの背面を巻き込みながら、ジャッキ等の緊張治具を用いて補強シート３０ａを緊張して両端を固定する。
本例では補強シート３０ａの両端を擁壁マット１０ａにピンを打設して固定した場合を示すが、補強シート３０ａの両端の固定位置は中詰材２０ａの上面の任意の位置であってもよい。またピンを打設せずに、緊張した補強シート３０ａの両端重合部を連結するようにしてよい。要は一段目の中詰材２０ａの背面を巻き込んだ一段目の補強シート３０ａが緩まないように、その端部を固定できればよい。
補強シート３０ａに張力をかけながら巻き込むのは、補強シート３０ａの弛みを解消することと、中詰材２０ａの拘束力を増して、中詰材２０ａを補強すると共に擁壁マット１０ａとの一体化を図るためである。
このように補強シート３０ａによって、擁壁マット１０ａと一次転圧した中詰材２０ａの周囲を緊張状態で囲繞する。
【００１８】
尚、中詰材２０ａの種類によっては、補強シート３０ａに緊張力を付与しないで中詰材２０ａの背面部を巻き込んで固定する場合もある。
【００１９】
［二次転圧工］
つぎに抜き型枠４０を撤去し、図６に示すように一段目の中詰材２０ａの背面部を転圧（二次転圧）して拘束土単体５０を得る。
型枠４０による支持のない状態で中詰材２０ａの背面部を二次転圧するのは、中詰材２０ａを強制的に側方移動させて補強シート３０ａの緊張力を増し、中詰材２０ａの増強させた拘束力に伴って中詰材２０ａの背面部の強度をさらに高めるためである。
二次転圧の完了により、補強シート３０の背面部は丸みを帯びた形状に変形する。
【００２０】
［裏込工］
図７に示すように一段目の中詰材２０ａの背面部に、中詰材２０ａと等しい高さまで裏込材２１ａを投入して転圧する。
以上の工程を経て一段目の拘束土単体５０ａの施工を終了する。
【００２１】
図１に示すように、二段目以降も一段目の拘束土単体５０ａ上に、上述した一段目と同様の工程を繰り返し行い、拘束土単体５０を所定の高さまで積み上げて補強土構造物を得る。
尚、複数の拘束土単体５０の背面側の勾配は、法面側の勾配に合わす必要はなく、昇段する毎に拘束土単体５０の全長（補強領域）を短くする等して背面側に独自の勾配をつけてもよい。
【００２２】
＜３＞拘束土構造物の特性
図１に示すように本発明に係る拘束土構造物は、補強シート３０で緊張して包囲され、かつ側方移動がほとんどない程度まで転圧して形成した複数の拘束土単体５０の積層構造体である。
【００２３】
したがって、施工後の拘束土構造物に自重や上載荷重が作用すると、補強シート３０の緊張力が増して中詰材２０の拘束力が増し、さらに中詰材２０の側方移動が拘束されることになり、その結果、中詰材２０の強度が極めて高くなって擁壁マット１０の孕み出し変形（側方移動）を確実に防止することができる。
拘束土構造物に大きな鉛直荷重や地震時の水平力が加わっても、同様に中詰材２０の全体の側方移動を確実に防止できる。
【００２４】
盛土層の上下に補強シートを配置しただけの従来工法では盛土の補強領域が補強シートの敷設長よりも短いものであるのに対して、本発明では補強シート３０により擁壁マット１０と共に中詰材２０の周面を包み込んだ範囲が補強領域となる。
本発明の場合、拘束土構造物を構成する複数の拘束土単体５０，５０……の積層体が一体構造の擬似擁壁構造体を兼ねるので、拘束土構造物に作用する背面土圧に対する耐力も従来の補強盛土と比べて格段に優れている。
また急峻な地形であって、拘束土構造物の背面側に十分なスペースを確保することが困難な現場にあっては、拘束土構造物の断面幅を過剰に広く設計したり、地山を切り込んだりする必要がない。
【００２５】
＜４＞他の形態
以降に他の形態について説明するが、その説明に際し、前記した形態と同一の部位は同一の符号を付してその詳しい説明を省略する。
【００２６】
前記した形態は、積み重ねた拘束土単体５０，５０の間で、補強シート３０，３０が重合する場合について説明したが、図８に示すように、一段目の補強シート３０ａの右方に二段目用の補強シート３０ｂの途中を連結して実質的にシート全体の長さを延長し、二段目の補強シート３０ｂの左端を緊張して、一段目の中詰材２０ａに固定するようにしてもよい。
本例のように敷設すれば、補強シート３０，３０の重合範囲を少なくして、経済的な施工が可能である。
【００２７】
また図９に示す如く拘束土単体５０を形成するに際し、中詰材２０の前後に擁壁マット１０，１０を設置してもよい。
本例にあっては、中詰材２０の背面側に追加して設けた擁壁マット１０が転圧時の型枠材として機能することになる。
本発明に係る拘束土構造物は、従来のコンクリート製の基礎床版の代替として使用することが可能である。
支持地盤が軟弱であっても、地盤を掘り下げることなく、直接地盤上に拘束土単体を多段的に所定の高さまで積み上げて構築した拘束土構造物は、支持地盤の不陸を解消できるだけでなく、積層体全体としてひとかたまりの硬質土塊（擬似床版）と化して大きな支持力を確保することができる。殊に擁壁側を急勾配に施工することが可能である。
拘束土構造物を従来のコンクリート製の基礎床版の代替として使用する場合、その上部に道路などの構造物を構築したり、或いは公知の補強盛土を重ねて構築したりしても良い。
また本発明に係る拘束土構造物だけを積み上げて従来の補強盛土の代替として使用することも勿論可能である。
【００２８】
また以上は、複数の拘束土単体５０，５０……を積層した場合について説明したが、図１０，１１に示すように段積みせずに平面的に設置して拘束土構造物を構成しても良い。
本例にあっては、河川などの河床や斜面を保護する護岸構造物として使用することも可能である。
尚、本例の拘束土単体５０は、擁壁マット１０が法面側のみに配置した形態（図１０）と、背面側にも配置した形態（図１１）の何れの形態も採用可能である。
【００２９】
また図９に示すように複数の拘束土単体５０，５０……を積み上げて拘束度土構造物を構成する場合、法面側に植生して壁面を緑化してもよく、また図１０，１１に示すように複数の拘束土単体５０，５０……を平面的に設置して拘束度土構造物を構成する場合もその上面に植生してもよい。
【００３０】
また擁壁マット１０に代えて、公知のエキスパンドメタルをＬ字形に屈曲した壁面材を使用してもよい。この場合、補強シート３０の一端（例えば図１の左端）は壁面材に接続することになる。
【図面の簡単な説明】
【００３１】
【図１】本発明に係る拘束土構造物のモデル図
【図２】擁壁マットの斜視図で、（ａ）は可撓性を有する蛇篭製の擁壁マットの説明図、（ｂ）は他の蛇篭製の擁壁マットの説明図、（ｃ）はマット構造体製の擁壁マットの説明図
【図３】拘束土単体の構築方法の説明図であって、準備工の説明図
【図４】拘束土単体の構築方法の説明図であって、中詰材の一次転圧工程の説明図
【図５】拘束土単体の構築方法の説明図であって、補強シートの緊張工程の説明図
【図６】拘束土単体の構築方法の説明図であって、中詰材の二次転圧工程の説明図
【図７】裏込工程の説明図
【図８】他の形態の説明図で、補強シートの他の接続形態の説明図
【図９】他の形態の説明図で、拘束土単体の前後に擁壁マットを設置した拘束土構造物の説明図
【図１０】他の形態の説明図で、拘束土単体を平面的に設置した拘束土構造物の説明図
【図１１】拘束土単体を平面的に設置した他の拘束土構造物の説明図
【符号の説明】
【００３２】
１０，１０ａ，１０ｂ  擁壁マット
２０，２０ａ，２０ｂ  中詰材
３０，３０ａ，３０ｂ  補強シート
４０    型枠
５０    拘束土単体
【図１】
2005163271.tif 000003
【図２】
2005163271.tif 000004
【図３】
2005163271.tif 000005
【図４】
2005163271.tif 000006
【図５】
2005163271.tif 000007
【図６】
2005163271.tif 000008
【図７】
2005163271.tif 000009
【図８】
2005163271.tif 000010
【図９】
2005163271.tif 000011
【図１０】
2005163271.tif 000012
【図１１】
2005163271.tif 000013